(57)【要約】【課題】ピットに入室することなく、タイダウン動作検出スイッチを容易に復帰でき、救出作業も円滑なものとすることができるエレベータタイダウン装置の復帰装置を提供する。【解決手段】乗場近傍に係止される索状態１６の他端部を操作することに応じて、タイダウン動作検出スイッチ１２を復帰させて前記停止信号の出力を解除するよう構成したため、ピット内に入ることなく容易にタイダウン動作検出スイッチ１２を復帰させることが可能である。  従って、タイダウン装置１０動作時に、閉じ込め救出作業が必要であったとしても、該作業を円滑に進めることが可能である。【選択図】図１
2006117352.tif 000002
【特許請求の範囲】
【請求項１】
主ロープを介して連結され釣瓶式に昇降する乗かごとつり合い重りとの間に前記主ロープとの均衡を保つよう設けられたつり合いロープが巻掛けられるロープ張り車の上昇を抑止するよう動作するエレベータタイダウン装置の復帰装置において、
その一端が、前記タイダウン装置が動作したことを検出しエレベータ停止信号をエレベータ制御盤へ出力するタイダウン動作検出スイッチへ接続されるとともに、その他端が、乗場近傍に係止される索状態を備え、この索状態の他端を操作することに応じて、前記タイダウン動作検出スイッチを復帰させて前記停止信号の出力を解除するよう構成したことを特徴とするエレベータタイダウン装置の復帰装置。
【請求項２】
主ロープを介して連結され釣瓶式に昇降する乗かごとつり合い重りとの間に前記主ロープとの均衡を保つよう設けられたつり合いロープが巻掛けられるロープ張り車の上昇を抑止するよう動作するエレベータタイダウン装置の復帰装置において、
前記タイダウン装置が動作したことを検出しエレベータ停止信号を昇降路内に設けられるエレベータ制御盤へ出力するタイダウン動作検出スイッチと、前記昇降路の外部から前記制御盤へ復帰信号を送信する復帰信号送信部とを備え、前記制御盤は、前記復帰信号の受信に応じて、前記停止信号を無効とするよう構成したことを特徴とするエレベータタイダウン装置の復帰装置。
【請求項３】
請求項２の記載において、前記制御盤と前記復帰信号送信部との間の通信は、有線もしくは無線のいずれかで行うことを特徴とするエレベータタイダウン装置の復帰装置。
【発明の詳細な説明】
【技術分野】
【０００１】
本発明は、エレベータタイダウン装置の復帰装置に関する
【背景技術】
【０００２】
まず、本発明の復帰装置を使用するエレベータタイダウン装置の構成について、図３及び図４を用いて説明する。ここで、図３は一般的なエレベータタイダウン装置の構成を説明する昇降路縦断面図、図４は図３のタイダウン装置の拡大図である。
【０００３】
図３に示すように、一般的な釣瓶式エレベータは、乗かご４とつり合い重り５が、主ロープ３を介して連結され、巻上機２の駆動に応じて釣瓶式に昇降路６内を昇降するよう構成されている。
【０００４】
また高行程を昇降するエレベータの場合、前記主ロープ３も長くなるので、この主ロープ３が乗かご４側もしくはつり合い重り５側に偏荷重を加えないよう、前記乗かご４とつり合い重り５との間に、つり合いロープ８を設けて均衡を保っている。
【０００５】
また前記つり合いロープ８は、昇降路６の底部に設けられたつり合いロープ張り車７に巻掛けられて張力を付与されている。
【０００６】
そして、このつり合いロープ張り車７は、つり合いロープ張り車用ガイドレール９にガイドされており、このガイドレール９の上部にはタイダウン装置１０が装備されている。
【０００７】
このタイダウン装置１０は、乗かご４あるいはつり合い重り５が非常停止などによって急停止した際に、上昇中の乗かご４あるいはつり合い重り５が慣性で跳ね上がらないようにつり合いロープ張り車７の位置規制する装置である。
【０００８】
すなわち、かかる急停止時にタイダウン装置１０が上向きの力を受けると、そのウエッジ１０ａが前記ガイドレール９を挟圧保持し、タイダウン装置１０は速やかにつり合いロープ張り車用ガイドレール９に拘束された状態となるので、つり合いロープ張り車７が前記ガイドレール９に沿って上昇するのを抑制する構成としたものである。
【０００９】
また、ここでタイダウン装置１０の動作は図４に示すように、タイダウン動作検出スイッチ１２が検出し、この検出信号は通信線１２ａを介してエレベータを制御する制御盤１４でエレベータ停止信号として受信され、制御盤１４はエレベータを停止するよう制御を行う構成となっている。
【００１０】
そのタイダウン動作検出スイッチ１２の検出方法としては、同図に示す通り、つり合いロープ張り車７と同期して移動するつり合いロープ張り車カバー１１に固定された手動復帰式タイダウン動作検出スイッチ１２が、タイダウン装置１０に固定されたけり金具１３に接触することで検出する構成となっている。
【００１１】
ところで、前記タイダウン装置１０に関する従来技術としては、タイダウン装置１０の本体枠に支持部材を係着させて押しボルトを螺進させることにより、各ウエッジ１０ａを押し上げて、各ウエッジ１０ａのガイドレール９挟圧状態を解除するものが提案されていた（特許文献１参照）。
【００１２】
この従来技術によれば、タイダウン装置１０を分解することなく、ウエッジを簡単に開放することができる。よって、急停止時にタイダウン装置が動作しても、簡単にタイダウン装置を通常状態に復帰することができる。
【特許文献１】特開２０００−１１８９１３（段落００３９、図４）
【発明の開示】
【発明が解決しようとする課題】
【００１３】
一般的なエレベータでは、前記したようなタイダウン装置１０の構成であるため、タイダウン装置１０の動作時に、乗かご４内の閉じ込め者を救出するような場合、昇降路６底部のピットに入室し、タイダウン動作検出スイッチ１２を手動で復帰する必要があり、救出作業を煩雑なものとするという不具合があった。
【００１４】
一方、前記従来技術は、ウエッジ１０ａを簡単に開放して復帰する際には有効であるが、前記タイダウン動作検出スイッチ１２の復帰についての考慮はなされておらず、前記不都合は解消されていなかった。
【００１５】
本発明は、前記不都合を解決するためになされたもので、その目的は、ピットに入室することなく、タイダウン動作検出スイッチを容易に復帰でき、救出作業も円滑なものとすることができるエレベータタイダウン装置の復帰装置を提供するにある。
【課題を解決するための手段】
【００１６】
上記目的を達成するため、請求項１に係わる本発明は、主ロープを介して連結され釣瓶式に昇降する乗かごとつり合い重りとの間に前記主ロープとの均衡を保つよう設けられたつり合いロープが巻掛けられるロープ張り車の上昇を抑止するよう動作するエレベータタイダウン装置の復帰装置において、その一端が、前記タイダウン装置が動作したことを検出しエレベータ停止信号をエレベータ制御盤へ検出するタイダウン動作検出スイッチへ接続されるとともに、その他端が、乗場近傍に係止される索状態を備え、この索状態の他端を操作することに応じて、前記タイダウン動作検出スイッチを復帰させて前記停止信号の出力を解除するよう構成したことを特徴とする。
【００１７】
本発明によれば、上記のように、乗場近傍に係止される索状態の他端部を操作することに応じて、タイダウン動作検出スイッチを復帰させて前記停止信号の出力を解除するよう構成したため、ピット内に入ることなく容易にタイダウン動作検出スイッチを復帰させることが可能である。従って、タイダウン装置動作時に、閉じ込め救出作業が必要であったとしても、該作業を円滑に進めることが可能である。
【００１８】
さらに、上記目的を達成するため、請求項２に係わる本発明は、主ロープを介して連結され釣瓶式に昇降する乗かごとつり合い重りとの間に前記主ロープとの均衡を保つよう設けられたつり合いロープが巻掛けられるロープ張り車の上昇を抑止するよう動作するエレベータタイダウン装置の復帰装置において、前記タイダウン装置が動作したことを検出しエレベータ停止信号を昇降路内に設けられるエレベータ制御盤へ出力するタイダウン動作検出スイッチと、前記昇降路の外部から前記制御盤へ復帰信号を送信する復帰信号送信部とを備え、前記制御盤は、前記復帰信号の受信に応じて、前記停止信号を無効とするよう構成したことを特徴とする。
【００１９】
本発明によれば、上記のように、昇降路の外部から復帰信号送信部を用いて制御盤へ向けて復帰信号を送信すれば、制御盤はタイダウン動作検出スイッチからのエレベータ停止信号を無効とするため、ピット内に入ることなく容易にタイダウン動作検出スイッチを電気的に復帰させることが可能である。従って、タイダウン装置動作時に、閉じ込め救出作業が必要であったとしても、該作業を円滑に進めることが可能である。
【発明の効果】
【００２０】
本発明のエレベータタイダウン装置の復帰装置は、ピットに入室することなく、タイダウン動作検出スイッチを容易に復帰でき、救出作業も円滑なものとすることができる。
【発明を実施するための最良の形態】
【００２１】
以下、本発明の一実施の形態について説明する。
【００２２】
（実施形態１）
図１は、実施形態１に係る本発明であるタイダウン装置の復帰装置の全体構成を示す昇降路縦端面図である。図中、図３及び図４と同一の符号は、同一物を示している。
【００２３】
本発明であるタイダウン装置の復帰装置は、その一端が、タイダウン動作検出スイッチ１２に接続されるとともに、その他端が、最下階乗場近傍の最下階インジ１７に係止される索状態（以下、復帰用ワイヤ１６という）を備えて構成されている。
【００２４】
次に、このタイダウン装置の復帰装置に動作方法を閉じ込め救出作業を例に取り説明する。
【００２５】
乗かご４あるいはつり合い重り５が非常止めなどによって急停止して、手動復帰式タイダウン動作検出スイッチ１２が動作し、エレベータが停止した場合、まず、かご内の閉じ込め者の有無を確認する。
【００２６】
この時、乗かご４内に閉じ込め者がいる場合は、最下階の乗場ドアを開け、最下階のホールにて、タイダウン装置１０等のピット機器の状況を確認後に、上記検出スイッチ復帰用ワイヤ１６の他端を操作し、手動復帰式タイダウン動作検出スイッチ１２を復帰する。
【００２７】
これにより、タイダウン動作検出スイッチ１２からのエレベータ停止信号の出力を解除することができるので、エレベータを最寄階へ移動させ、閉じ込め者を救出することができる。その後、ピットに入室し、故障原因を究明することができる。
【００２８】
また、乗かご４内に閉じ込め者がいない場合で、乗かご４が最下階にある状態でエレベータが停止した場合（ピットへ入室できない場合）でも、最下階のホールにて、検出スイッチ復帰用ワイヤ１６の他端を操作し、手動復帰式タイダウン装置動作検出スイッチ１２を復帰させれば、タイダウン動作検出スイッチ１２からのエレベータ停止信号の出力を解除することができるので、エレベータをピットへ入室できる位置まで移動させることができる。そして、ピットに入室し、故障原因を究明することができる。
【００２９】
このように、この実施形態１によれば、タイダウン装置動作検出スイッチ１２をピットに入室することなく、遠隔で復帰できるため、最下階のホールにて、タイダウン装置１０の状況を確認後に、タイダウン装置動作検出スイッチ１２のみを復帰し、閉じ込め者の救出を優先することができる。なお、この救出作業後、従来技術で述べたウエッジ１０ａの復帰作業を行うことは勿論である。
【００３０】
また、タイダウン装置動作検出スイッチ１２が動作し、乗かご４が最下階にある状態でエレベータが停止した場合（ピットへ入室できない場合）でも、タイダウン装置動作検出スイッチ１２を復帰し、ピットへ入室できる位置までエレベータを運転することができるため、故障復旧の時間を短縮することができる。
【００３１】
（実施形態２）
図２は、実施形態２に係る本発明であるタイダウン装置の復帰装置の全体構成を示す昇降路縦断面図である。図中、図３及び図４と同一の符号は同一物を示している。
【００３２】
本実施形態において、自動復帰式タイダウン装置動作検出スイッチ１２ｂは、タイダウン装置１０に固定されたけり金具１３に接触した後に、自動的に元のスイッチの状態に復帰する。
【００３３】
しかし、自動復帰式タイダウン動作検出スイッチ１２ｂの動作信号は、エレベータを制御する制御盤１４内で有効な状態を継続する構成である。
【００３４】
従って、本実施形態によれば、保守員が携帯している復帰信号送信部（以下、携帯端末装置１８という）から、制御盤１４へ復帰信号を送信することにより、前記タイダウン動作検出スイッチ１２ｂからの停止信号を無効として、復帰作業を行うものである。
【００３５】
次に、この実施形態２のタイダウン装置の復帰装置に動作方法を閉じ込め救出作業を例に取り説明する。
【００３６】
かご４あるいはつり合いおもり５が非常止めなどによって急停止して、自動復帰式タイダウン動作検出スイッチ１２ｂが動作し、エレベータが停止した場合、まず、乗かご４内の閉じ込め者の有無を確認する。
【００３７】
この時、乗かご４内に閉じ込め者がいる場合は、最下階の乗場ドアを開け、最下階のホールにて、タイダウン装置１０等のピット機器の状況を確認後に、保守員は携帯端末装置１８により、自動復帰式タイダウン動作検出スイッチ１２ｂの動作信号の無効とするよう復帰信号を制御盤に送信する。
【００３８】
これにより制御盤１４は、タイダウン動作検出スイッチ１２ｂからのエレベータ停止信号を無効とするため、ピット内に入ることなく容易にタイダウン動作検出スイッチ１２ｂを電気的に復帰させることが可能である。
【００３９】
そして、エレベータを最寄階へ移動させ、閉じ込め者を救出する。その後、ピットに入室し、故障原因を究明することができる。
【００４０】
また、乗かご４内に閉じ込め者がいない場合で、乗かご４が最下階にある状態でエレベータが停止した場合（ピットへ入室できない場合）でも、最下階のホールにて、保守員は携帯端末装置１８により復帰信号を制御盤１４へ送信すれば、タイダウン動作検出スイッチ１２ｂからのエレベータ停止信号を制御盤１４は無効とするため、エレベータをピットへ入室できる位置まで移動させることができる。
【００４１】
そして、ピットに入室し、故障原因を究明することができる。
【００４２】
このように、この実施形態２によれば、タイダウン動作検出スイッチをピットに入室することなく、昇降路の外部にて遠隔で電気的に復帰できるため、最下階ホール等で、タイダウン装置の状況を確認後にタイダウン装置動作検出スイッチのみを復帰し、閉じ込め者の救出を優先することができる。
【００４３】
また、タイダウン装置動作検出スイッチが動作し、かごが最下階にある状態でエレベータが停止した場合（ピットへ入室できない場合）でも、タイダウン装置動作検出スイッチを復帰し、ピットへ入室できる位置までエレベータを運転することができるため、故障復旧の時間を短縮することができる。
【００４４】
本実施形態において、図示していないが、前記制御盤１４と前記携帯端末装置１８との間の通信は、有線もしくは無線のいずれで行っても良いものである。
【００４５】
なお、この救出作業後、従来技術で述べたウエッジ１０ａの復帰作業を行うことは勿論である。
【図面の簡単な説明】
【００４６】
【図１】本発明の実施形態１であるタイダウン装置の復帰装置の全体構成を示す昇降路縦断面図
【図２】本発明の実施形態２であるタイダウン装置の復帰装置の全体構成を示す昇降路縦断面図
【図３】一般的なエレベータタイダウン装置の構成を説明する昇降路縦断面図
【図４】図３のタイダウン装置の拡大図
【符号の説明】
【００４７】
１  機械室
２  巻上機
３  主ロープ
４  乗かご
５  つり合い重り
６  昇降路
７  つり合いロープ張り車
８  つり合いロープ
９  つり合いロープ張り車用ガイドレール
１０  タイダウン装置
１０ａ  ウエッジ
１１  つり合いロープ張り車カバー
１２  手動復帰式タイダウン動作検出スイッチ
１２ａ  通信線
１２ｂ  自動復帰式タイダウン装置動作検出スイッチ
１３  けり金具
１４  制御盤
１６  検出スイッチ復帰用ワイヤ
１７  最下階インジ
１８  携帯端末装置
【図１】
2006117352.tif 000003
【図２】
2006117352.tif 000004
【図３】
2006117352.tif 000005
【図４】
2006117352.tif 000006